(57)【要約】  グラフィカルユーザインタフェース（ＧＵＩ）を開示している。このＧＵＩは、１つまたは複数のメニューを表示するメニューバーと、ＧＵＩガイドボタンを含み、またＧＵＩガイドボタンが選択されたことに応えて、上記１つまたは複数のメニューにある各々のコマンドを同時に表示するＧＵＩガイドを含む。【選択図】図２Ａ
2013517564.tif 000002
【特許請求の範囲】
【請求項１】
コンピュータシステムであって、
プリンタドライバプログラムを記憶するメモリと、
前記メモリに接続されて、印刷プロダクトを実行するためのプロセッサと、
前記プロセッサが前記印刷プロダクトを実行する際に、グラフィカルユーザインタフェース（ＧＵＩ）を表示するための表示装置と、を備え、
前記ＧＵＩは、１つまたは複数のメニューを表示するメニューバーと、ＧＵＩガイドボタンとを含み、このＧＵＩガイドボタンは選択されると、前記１つまたは複数のメニューにある各々のコマンドをＧＵＩガイドとして同時に表示させる、コンピュータシステム。
【請求項２】
前記ＧＵＩガイドボタンの第２の選択によって、前記ＧＵＩガイドを閉じる、請求項１に記載のコンピュータシステム。
【請求項３】
さらにカーソルによりコマンドがロールオーバーされると、そのコマンドに関連付けられたファンクションを前記ＧＵＩに表示する、請求項１に記載のコンピュータシステム。
【請求項４】
カーソルにより前記コマンドがロールオーバーされると、前記ＧＵＩ内での前記ファンクションの場所の外枠を表示する、請求項３に記載のコンピュータシステム。
されている
【請求項５】
カーソルによりメニューがロールオーバーされると、メニューF中のコマンドに対応する各ファンクションの場所の外枠を前記ＧＵＩに表示する、請求項１に記載のコンピュータシステム。
【請求項６】
前記ＧＵＩガイドにおけるコマンドの順序は、カスタマイズ可能である、請求項１に記載のコンピュータシステム。
【請求項７】
第１のコマンドは、カーソルによって、前記ＧＵＩガイドにおける第１のメニューから第２のメニューに移される、請求項７に記載のコンピュータシステム。
【請求項８】
メニュー中の第１のコマンドは、カーソルによって、第２のコマンドより上に移される、請求項６に記載のコンピュータシステム。
【請求項９】
メニュー中のコマンドの順序は、動的に変更される、請求項１に記載のコンピュータシステム。
【請求項１０】
メニュー中のコマンドの順序は、コマンドの使用頻度、緊急度、およびユーザ数のいずれかに基づいて変更される、請求項９に記載のコンピュータシステム。
【請求項１１】
前記ＧＵＩは、
頻度ボタンと、
緊急度ボタンと、
ユーザ数ボタンと、を含む、請求項１０に記載のコンピュータシステム。
【請求項１２】
前記頻度ボタン、前記緊急度ボタン、および前記ユーザ数ボタンのいずれかにカーソルがロールオーバーされると、その結果、メニュー中のコマンドが並べ直される、請求項１１に記載のコンピュータシステム。
【請求項１３】
コンピュータシステム内の表示装置にグラフィカルユーザインタフェース（ＧＵＩ）を表示させる方法であって、
１つまたは複数のメニューを有するメニューバーを表示することと、
ＧＵＩガイドボタンを表示することと、
前記ＧＵＩガイドボタンは選択されると、前記１つまたは複数のメニューにある各々のコマンドの同時表示を有するＧＵＩガイドを表示することと、を含む方法。
【請求項１４】
前記ＧＵＩガイドボタンの第２の選択に応えて、前記ＧＵＩガイドを閉じることをさらに含む、請求項１３に記載の方法。
【請求項１５】
前記ＧＵＩガイドにおいてカーソルによりコマンドがロールオーバーされたことに応えて、そのコマンドに関連付けられたファンクションを表示することをさらに含む、請求項１３に記載の方法。
【請求項１６】
前記ＧＵＩガイドにおいてカーソルによりコマンドがロールオーバーされたことに応えて、前記ＧＵＩ内での関連するファンクションの場所の外枠を表示することをさらに含む、請求項１５に記載の方法。
【請求項１７】
カーソルによりメニューがロールオーバーされたことに応えて、そのメニュー中のコマンドに対応する各ファンクションの場所の外枠を表示することをさらに含む、請求項１３に記載の方法。
【請求項１８】
前記ＧＵＩガイドにおけるコマンドの場所はカスタマイズ可能である、請求項１３に記載の方法。
【請求項１９】
第１のコマンドを、前記ＧＵＩガイドにおける第１のメニューから第２のメニューに移すことをさらに含む、請求項１８に記載の方法。
【請求項２０】
メニュー中の第１のコマンドを、第２のコマンドより上に移すことをさらに含む、請求項１７に記載の方法。
【請求項２１】
前記メニュー中のコマンドの前記順序を動的に変更することをさらに含む、請求項１３に記載の方法。
【請求項２２】
メニュー中のコマンドの順序を、コマンドの使用頻度、緊急度、およびユーザ数のいずれかに基づいて変更することをさらに含む、請求項２１に記載の方法。
【請求項２３】
前記使用頻度ボタン、前記緊急度ボタン、および前記ユーザ数ボタンのいずれかがカーソルによりロールオーバーされたことに応えて、メニュー中のコマンドを並べ直すことをさらに含む、請求項２２に記載の方法。
【請求項２４】
グラフィカルユーザインタフェース（ＧＵＩ）であって、
１つまたは複数のメニューを表示するメニューバーと、
ＧＵＩガイドボタンと、
前記ＧＵＩガイドボタンの選択に応えて、前記１つまたは複数のメニューにある各々のコマンドを同時に表示するＧＵＩガイドと、を含む、ＧＵＩ。
【請求項２５】
カーソルによりコマンドがロールオーバーされたときに、そのコマンドに関連付けられたファンクションを表示するウィンドウをさらに含む、請求項２４に記載のＧＵＩ。
【請求項２６】
カーソルにより前記コマンドがロールオーバーされたときに、前記ファンクションの場所の外枠を表示するウィンドウをさらに含む、請求項２５に記載のＧＵＩ。
【請求項２７】
カーソルによりメニューがロールオーバーされたときに、メニュー中のコマンドに対応する各ファンクションの場所の外枠を表示するウィンドウをさらに含む、請求項２４に記載のＧＵＩ。
【請求項２８】
頻度ボタンと、
緊急度ボタンと、
ユーザ数ボタンと、をさらに含む、請求項２４に記載のＧＵＩ。
【請求項２９】
表示装置に表示されるグラフィカルユーザインタフェース（ＧＵＩ）を提供する方法であって、
１つまたは複数のメニューを含むメニューバーを生成することと、
ＧＵＩガイドボタンを生成することと、
前記ＧＵＩガイドボタンの選択に応えて、前記１つまたは複数のメニューにある各々のコマンドの同時表示を含むＧＵＩガイドを生成することと、を含む方法。
【請求項３０】
前記ＧＵＩガイドにおいてカーソルによりコマンドがロールオーバーされたことに応えて、コマンドに関連付けられたファンクションを生成することをさらに含む、請求項２９に記載の方法。
【請求項３１】
前記ＧＵＩガイドにおいてカーソルによりコマンドがロールオーバーされたことに応えて、前記ＧＵＩ内での関連するファンクションの場所の外枠を生成することをさらに含む、請求項３０に記載の方法。
【発明の詳細な説明】
【技術分野】
【０００１】
本発明は、グラフィカルユーザインタフェースの分野に関し、特に、グラフィカルユーザインタフェースをナビゲートするための支援の提供に関する。
【背景技術】
【０００２】
最近のコンピュータシステムは、ユーザが様々なメニューオプションの中から選択することによりコマンドを実行することを可能にする、グラフィカルユーザインタフェース（ＧＵＩ）を実装している。一般に、ＧＵＩは、メニューが、ナビゲーションツリー構造にリンクされたテキストバーまたはアイコンとして表示されるように設計されており、この場合、同じレベルに属するメニューは同時に表示される。従って、ユーザが特定のコマンドを実行するためには、ユーザは様々なファンクションキーを知っている必要がある。
【発明の概要】
【発明が解決しようとする課題】
【０００３】
しかし複雑なシステムは、多くの機能および設定を含むので、（例えば、アドビ・フォトショップ、またはプリンタコンソールなどの）複雑なユーザインタフェースで、ファンクションまたは機能を見つけることは難しいことがある。また、機能のグループ分けまたは呼称のために用いられる名称は、覚えやすいものではなかったり、似すぎていたり、または特定のユーザにとって意味の通じないものであったりするため、機能をより簡単に見つけるための助けとならないことがよくある。
【０００４】
さらに、メニューナビゲーション（例えば、画面情報がリンクされている順序（つまりナビゲーションツリー））は固定されていることから、機能をより簡単に見つけるためのカスタマイズ化はできない。そして、ソフトウェア設計者は、多くの場合、それぞれのファンクションが使用される頻度、緊急度、および／または使用者数に基づいて、ＧＵＩを編成する。しかし設計者が、自身の推測が正しいかどうか、実際の利用に基づいて確かめることは非常に難しい。
【０００５】
そこで、ファンクションを見つけることを可能にするＧＵＩガイドが求められる。
【課題を解決するための手段】
【０００６】
本発明の一つの実施例によれば、グラフィカルユーザインタフェース（ＧＵＩ）を開示している。このＧＵＩは、１つまたは複数のメニューを表示するメニューバーと、ＧＵＩガイドボタンを含み、このＧＵＩガイドボタンは選択されると、上記１つまたは複数のメニューにある各々のコマンドを同時に表示させる機能を有する。
【０００７】
他の実施例では、コンピュータ処理による方法を開示している。この方法は、１つまたは複数のメニューを表示するため、ＧＵＩ内にメニューバーを表示することと、ＧＵＩガイドボタンを表示することと、およびＧＵＩガイドボタンは選択されると、上記１つまたは複数のメニューにある各々のコマンドを同時に表示させるＧＵＩガイドを表示することとを含む。
【０００８】
さらなる実施例では、コンピュータシステムを開示しており、これは、プリンタドライバプログラムを記憶するためのメモリと、このメモリに接続されて印刷プロダクトを実行するプロセッサと、およびプロセッサが印刷プロダクトを実行する際にＧＵＩを表示するための表示装置とを備える。ＧＵＩは、１つまたは複数のメニューを表示するメニューバーと、ＧＵＩガイドボタンとを含み、ＧＵＩガイドボタンが選択されたことに応えて、上記１つまたは複数のメニューにある各々のコマンドをＧＵＩガイドとして同時に表示させる。
【０００９】
次の図面との関連から以下詳細に説明することで、本発明についてさらなる理解が得られる。
【図面の簡単な説明】
【００１０】
【図１】図１は、データ処理システムネットワークの一実施例を示す。
【図２Ａ】図２Ａは、ＧＵＩの実施例のスクリーンショットである。
【図２Ｂ】図２Ｂは、ＧＵＩの実施例のスクリーンショットである。
【図２Ｃ】図２Ｃは、ＧＵＩの実施例のスクリーンショットである。
【図２Ｄ】図２Ｄは、ＧＵＩの実施例のスクリーンショットである。
【図３】図３は、コンピュータシステムの一実施例を示す。
【発明を実施するための形態】
【００１１】
ＧＵＩガイドについて説明する。以下の記載は説明を目的とし、多くの具体的詳細について記載することで本発明は完全に理解される。しかし本発明は、それらの具体的詳細の一部がなくても実施できることは、当業者には明らかだろう。また、本発明の基本原理を明瞭化するため、周知の構造および装置はブロック図形式で示す。
【００１２】
本明細書における“一実施例”または“実施例”という表現は、その実施例に関連して記載される具体的な機能、構造、または特徴が、本発明の少なくとも１つの実施例に含まれることを意味する。本明細書の多くの箇所で見られる“一実施例では”という表現は、そのすべてが同じ実施例を指しているわけではない。
【００１３】
図１は、データ処理システムネットワーク１００の一実施例を示している。ネットワーク１００は、データ処理システム１０２を含んでおり、これは、通信リンク１０４を介してネットワーク１０６に接続されたデスクトップ型またはモバイル型いずれかのデータ処理システムとすることができる。一実施例では、データ処理システム１０２は、すべて周知技術によるものであるプロセッサ、ローカルメモリ、不揮発性記憶装置、およびキーボード、マウス、トラックボールなどの入力／出力装置を備える、通常のデータ処理システムである。さらなる実施例において、データ処理システム１０２は、ウィンドウズ（登録商標）オペレーティングシステムもしくは他のオペレーティングシステムを含み、および／または、データ処理システム１０２がネットワーク１０６内のリソースを用いることを目的としてネットワーク１０６と通信することを可能にするネットワークドライバを含んで、これらを使用する。
【００１４】
ネットワーク１０６は、それを介して印刷要求をリモートプリンタまたはプリントサーバに送信することができる、ローカルエリアネットワーク（ＬＡＮ）または他のネットワークとすることができる。通信リンク１０４は、ネットワークアダプタ、ドッキングステーション、またはそのような形態とすることができ、データ処理システム１０２とネットワーク１０６との間でのイーサネット（登録商標）、ＡＳ／４００ネットワーク、またはそのようなネットワーク通信プロトコルを用いた通信をサポートしている。
【００１５】
一実施例によれば、ネットワーク１０６は、プリントサーバ１０８を含んでおり、これは、プリントサーバ１０８とネットワーク１０６との間の通信リンク１１０を介して受信するネットワーク１０６上の印刷要求に対してサービスを提供する。プリントサーバ１０８は、その後、印刷要求を、通信リンク１１１を介してネットワーク１０６に接続されている印刷用プリンタ１０９のいずれかに、通信リンク１１０を介して送信する。
【００１６】
また他の実施例では、データ処理システム１０２の印刷アプリケーションによって、ユーザは、希望のプリントサーバ１０８を選択し、プリンタ１０９に対するサービス要求の要求を、ネットワーク１０６上でプリントサーバ１０８を介して送信することが可能である。プリントサーバ１０８については別個のエンティティとして説明したが、他の実施例では、１つまたは複数のプリンタ１０９に組み込まれたプリントサーバ１０８を含んでもよい。しかし他の実施例では、プリントサーバとプリンタは、物理的に別々のエンティティとすることができる。従って、図１に示すデータ処理システムネットワークは、本発明を説明し例示するために選ばれたものであり、アーキテクチャを限定することを意味するものではない。また、本発明に関連して、様々な追加構成要素を用いうることは、当業者であれば分かるだろう。
【００１７】
実施例によれば、プリントサーバ１０８は、印刷ソフトウェアプロダクトを実装しており、これは、データ処理システム１０２からの文書の印刷と、プリンタ１０９のうちの１つ以上を管理する。他の実施例では、印刷ソフトウェアプロダクトは、複数のデータ処理システム１０２から上記１つ以上のプリンタ１０９への文書の印刷を管理する。
【００１８】
本発明の実施例によれば、印刷ソフトウェアプロダクトは、インフォプリントマネージャ（ＩＰＭ）またはインフォプリントプロセスディレクタ（ＩＰＰＤ）のいずれかを用いて実施することができるが、代わりに他のタイプの印刷ソフトウェアを用いることはできる。さらなる実施例では、データ処理システム１０２の印刷アプリケーションが、印刷ソフトウェアプロダクトと双方向通信することで、印刷ジョブの効率的な伝送を可能にする。
【００１９】
他の実施例によれば、印刷ソフトウェアプロダクトは、データ処理システム１０２においてアクセス可能なグラフィカルユーザインタフェース（ＧＵＩ）１２０を含み、これによって、システム管理者（またはオペレータ）は、印刷ソフトウェアプロダクトおよび印刷アプリケーションと対話することが可能である。図２Ａは、ＧＵＩ １２０の一実施例のスクリーンショットを示す。
【００２０】
図２Ａに示すように、ＧＵＩ １２０は、メニュー（例えば、ジョブ設定、メディア一覧、カラー管理、など）を有する水平メニューバー２００を含む。各メニューは、アプリケーション機能とそれぞれ関連付けられた種々のメニューコマンドを含む。メニューバー２００は、類似のファンクションをグループ化することによって、ユーザが希望の機能を見つけるために見渡す必要のある機能の数を減らしている。しかしメニューに使用される言葉が不明瞭な場合、初心者のユーザにとっては、ＧＵＩ １２０でファンクションを見つけることが難しい場合がある。メニューバー２００のもう１つの問題は、ユーザが一度に１つのメニューしか見ることができないことである。
【００２１】
本発明によれば、ＧＵＩ １２０は、メニューバー２００の各メニューで使用できるファンクションをすべて同時に表示することで、ユーザがファンクションを迅速に見つける支援をするＧＵＩガイドを含む。このような実施例では、ＧＵＩ １２０のＧＵＩガイドコンポーネント（またはボタン）２０５を選択すると、ＧＵＩガイドが起動する。ＧＵＩガイドボタン２０５を選択すると、ＧＵＩ １２０すべてのメニューのそれぞれの内容が、ユーザに対して同時に表示される。従って、ユーザは、数回の選択（または“クリック”）を行って、アプリケーションのいろいろな部分を１つずつ開き、希望のコンポーネントを探す必要がない。また、メニューコマンドを同時に表示することで、ユーザは、希望のコンポーネントを見つけるために大量のヘルプテキストをスクロールする必要がなくなる。
【００２２】
図２Ｂは、ＧＵＩガイドボタン２０５を選択し、ＧＵＩガイド２１０が開いた後の、ＧＵＩ １２０の一実施例のスクリーンショットを示す。図２Ｂに示すように、ＧＵＩガイド２１０は、各メニューのすべての機能のリストを表示する。例えば、カラー管理メニューは、カラースター、カラーカーブ、明るさ、コントラストなどをリストに示す。一実施例では、ＧＵＩガイド２１０が開いているときに“ＧＵＩガイドを隠す”と表示されているボタン２０５を再度選択することで、ＧＵＩガイド２１０を非表示にすることができる。
【００２３】
別の実施例では、ユーザがメニューコマンドに“ロールオーバー”する（例えば、メニューコマンド／機能の上にマウスをクリックしないで移動させる）と、メニューコマンドに対応するアプリケーション機能の画面が、ＧＵＩ １２０ウィンドウの右下隅に表示される。加えて、ユーザがコマンドを選択すると、その画面が実際にＧＵＩ １２０上に表示される場所に外枠が表示される。
【００２４】
図２Ｃは、ロールオーバー機能を示すＧＵＩ １２０の一実施例のスクリーンショットである。この実施例では、ユーザは、カラーカーブ機能にロールオーバーすると、ウィンドウ２２０および２３０が表示される。ウィンドウ２２０は、カラーカーブ機能の内容を表示し、一方、ウィンドウ２３０は、カラーカーブ機能が選択された際に表示される場所を示す。図２Ｄは、ＧＵＩ １２０におけるロールオーバー機能の別の実施例のスクリーンショットを示し、この場合、ユーザは、プリンタキャリブレーション機能にロールオーバーし、その結果、ウィンドウ２２０および２３０が表示される。
【００２５】
ユーザがメニューコマンドにロールオーバーすると、ＧＵＩ １２０は、そのメニューコマンドの外枠を表示し、このようにして、ＧＵＩ １２０内で各メニューコマンドが配置されている場所が示される。この機能は、メニューの下のコマンドと、それらのＧＵＩ １２０での実際の場所との直接的な位置関係を、ユーザに提供する。さらに別の実施例では、各メニューの下のコマンドは動的であり、ユーザがカスタマイズ（例えば、ドラッグアンドドロップまたはウィンドウサイズ変更）して、ＧＵＩ １２０上でのコマンドの位置を変えることにより、コマンドの順序を変更できる。例えば、複数のコマンドを含むメニューにおいて、そのメニューの最上位のコマンドは、リストの一番上となる。そのコマンドがメニューの最下位に変更されると、そのコマンドはメニューリストの一番下に移動する。
【００２６】
別の実施例では、メニューコマンドの順序は、各コマンドの使用状況を反映して、変更可能である。このような実施例において、メニュー順序は、特定の機能の使用頻度、緊急度、およびユーザ数に基づいて変更可能である。例えば、頻度、緊急度、ユーザ数を含む３つのボタンのセットを、メニューと共にＧＵＩ １２０に配置できる。それぞれの基準ボタンがロールオーバーされるたびに、メニューコマンドを、特定の基準に従って配列し直すことができる（例えば、最も高い頻度で使用されるものはリストの先頭に移動する）。また、頻度は、コマンドがクリックされた頻度をアプリケーションが単に追跡することにより決定する。緊急度は、何らかのシステムエラーが発生した後にコマンドがクリックされた回数によって決定することができる。人数は、そのコマンドを使用した異なるユーザログイン数を数えることで決定することができる。
【００２７】
さらに別の実施例では、各メニューのコマンドはカスタマイズ可能であり、あるメニューから別のメニューにコマンドをドラッグアンドドロップすることができる。さらに、各コマンドに使用される名称またはアイコンを変更することもできる。
【００２８】
図３は、データ処理システム１０２および／またはサーバ１０８を実施することができるコンピュータシステム３００を示している。コンピュータシステム３００は、情報通信用のシステムバス３２０と、このバス３２０に接続されている情報処理用のプロセッサ３１０とを含む。
【００２９】
コンピュータシステム３００は、さらに、ランダムアクセスメモリ（ＲＡＭ）または他の動的記憶装置３２５（本明細書ではメインメモリと呼ぶ）を備えており、これは、バス３２０に接続されて、情報およびプロセッサ３１０により実行される命令を記憶する。メインメモリ３２５は、プロセッサ３１０による命令の実行中、一時変数または他の中間情報の記憶用としても使用可能である。コンピュータシステム３００は、読み出し専用メモリ（ＲＯＭ）、またはバス３２０に接続され、静的情報およびプロセッサ３１０により用いられる命令を記憶する、他の静的記憶装置３２６を含むこともできる。
【００３０】
情報および命令を記憶するため、磁気ディスクまたは光ディスクなどのデータ記憶装置３２７と、これに対応するドライブを、コンピュータシステム３００に接続することもできる。また、コンピュータシステム３００は、Ｉ／Ｏインタフェース３３０を介して第２のＩ／Ｏバス３５０に接続することもできる。表示装置３２４、入力装置（例えば、英数字入力装置３２３および／またはカーソル制御装置３２２）を含む複数のＩ／Ｏ装置を、Ｉ／Ｏバス３５０に接続することができる。通信装置３２１は、他のコンピュータ（サーバまたはクライアント）にアクセスするためのものである。通信装置３２１は、イーサネット、トークンリング、または他のタイプのネットワークに接続するために用いられるものなど、モデム、ネットワークインタフェースカード、あるいは他の周知のインタフェース装置を備えることができる。
【００３１】
上記のＧＵＩガイドによると、そのインタフェースナビゲーションは、検索がより容易であって、分かりやすく、さらに、設計者による誤りを修正する自動再配置を可能にするカスタマイズが可能であるため、ユーザは、より迅速に機能を見つけることができる。
【００３２】
本発明の実施例は、上記のような様々な実施例で説明した手順を含むことができる。それらの手順は、機械実行可能命令で具現化することができる。それらの命令を用いて、汎用または専用のプロセッサに特定の手順を実行させることが可能である。あるいは、手順を実行するための配線論理を含む専用ハードウェアコンポーネントにより、または、プログラムされたコンピュータコンポーネントおよびカスタムハードウェアコンポーネントのあらゆる組み合わせにより、それらの手順を実行してもよい。
【００３３】
また、本発明の要素は、機械実行可能命令を記憶する機械可読媒体として提供することもできる。機械可読媒体は、限定するものではないが、フロッピー（登録商標）ディスク、光ディスク、ＣＤ‐ＲＯＭ、光磁気ディスク、ＲＯＭ、ＲＡＭ、ＥＰＲＯＭ、ＥＥＰＲＯＭ、磁気カードあるいは光カード、伝播媒体、あるいは電子命令の記憶に適した他のタイプの媒体／機械可読媒体を含むことができる。例えば、本発明は、通信リンク（例えば、モデムまたはネットワーク接続）を介して、搬送波または他の伝播媒体に表現されるデータ信号により、リモートコンピュータ（例えば、サーバ）から要求側コンピュータ（例えば、クライアント）に転送することができるコンピュータプログラムとして、ダウンロードされてもよい。
【００３４】
当然のことながら、例として図示および記載された具体的な実施例は、いずれも、決して限定するものとみなされるべきではなく、上記説明を読むことで、当業者には、本発明の多くの変更および変形が明らかになるだろう。従って、様々な実施例の詳細についての言及は、本来、本発明に必須であると認められる特徴のみを記載している請求項の範囲を限定するものではない。
【図１】
2013517564.tif 000003
【図２Ａ】
2013517564.tif 000004
【図２Ｂ】
2013517564.tif 000005
【図２Ｃ】
2013517564.tif 000006
【図２Ｄ】
2013517564.tif 000007
【図３】
2013517564.tif 000008
【国際調査報告】
2013517564.tif 000009